(57)【要約】【課題】従来のプーリーでは搬送用ベルトを組み立てる際、プーリーの側面部を狙ってかけなければならなかった。組立て作業における注意が必要となり、タクト時間が長くなるという課題を有していた。【解決手段】本発明のプーリーは、円筒状で円中心の軸１０に回転し、側面部１２に搬送用ベルト１１をかけて駆動させる構造のプーリーにおいて、軸１０と垂直な円形面１３に円形面１３の径と同径または大きい径に回転軸方向に凸部１４を有している。これにより、搬送用ベルト１１を側面部１２にかけようと試みたが、誤って凸部１４へかけてしまった場合でも、プーリーが回転することによって搬送用ベルト１１が自ずと側面部１２へ移動する。本構成により、搬送用ベルト１１をかける際、狙う範囲を広げることによって、タクト時間を短縮することができる。【選択図】  図３
2004278681.tif 000002
【特許請求の範囲】
【請求項１】
円筒状で円中心を軸に回転し、側面部に搬送用ベルトをかけて駆動させる構造のプーリーにおいて、前記軸と垂直な円形面に前記円形面の径と同径または大きい径に回転軸方向に凸部を設けたことを特徴とするプーリー。
【請求項２】
前記凸部を前記円形面上で略等角に配置するように、前記凸部を複数設けたことを特徴とする請求項１記載のプーリー。
【請求項３】
前記円中心から前記凸部へリブを放射状に設けたことを特徴とする請求項１記載のプーリー。
【発明の詳細な説明】
【０００１】
【発明の属する技術分野】
本発明は、搬送用ベルトを駆動させるのに使用するプーリーに関するものである。
【０００２】
【従来の技術】
図７、図８は従来のプーリーを示すものである（例えば特許文献１参照。）。図７は前記従来例の駆動時の様子を示す図である。図７において、プーリーは円形で軸１中心に回転し、側面部２には搬送用ベルト４をかけて駆動させ、側面部２の中心部２ａが円形に隆起し、両端に側壁部３を設けていた。図８は、図７におけるＸ−Ｘ’断面を示す図である。
【０００３】
【特許文献１】
実開平６−３９８２５号公報
【０００４】
【発明が解決しようとする課題】
しかしながら、前記従来の構成では搬送用ベルト４を側面部２にかける際、側壁部３の間を狙ってかけなければならなかった。組み立て作業における注意が必要となりタクト時間が長くなるという課題を有していた。
【０００５】
本発明は、前記従来の課題を解決するもので、搬送用ベルト４を側面部３の間に狙わず組み立てることができ、タクト時間の短縮を提供することを目的とする。
【０００６】
【課題を解決するための手段】
前記従来の課題を解決するために、本発明のプーリーは、円筒状で円中心を軸に回転し、側面部に搬送用ベルトをかけて駆動させる構造のプーリーにおいて、前記軸と垂直な円形面に前記円形面の径と同径または大きい径に回転軸方向に凸部を有している。
【０００７】
これにより、前記搬送用ベルトをかける際、前記側面部のみならず前記凸部へもかけることが可能となる。前記搬送用ベルトを前記側面部にかけようと試みたが、誤って前記凸部へかけてしまった場合でも前記プーリーが回転することによって前記搬送用ベルトが自ずと前記側面部へ移動する。本構成により、前記搬送用ベルトをかける際、狙う範囲を広げることによってタクト時間を短縮することができる。
【０００８】
【発明の実施の形態】
以下本発明の実施の形態について、図面を参照しながら説明する。
【０００９】
（実施の形態１）
図１は本発明の実施の形態１におけるプーリーの駆動時の様子を示し、また図２は図１のプーリーのＡ−Ａ’断面を示す図である。図１、図２において、プーリーは軸１０を中心にして矢印Ｂ方向へ回転しながら搬送用ベルト１１を駆動させる。搬送用ベルト１１とプーリーとは側面部１２に設けられたＶ字の溝で接し、駆動力を伝えている。１３は軸１０と垂直に構成する円形面を示し、１４は円形面１３の径と同径に軸１０の方向に略等角に４本設けた凸部を示す。凸部外周面１４ａは凸部１４の、円形面１３の径と同径の、側面を示す。円形面１３の径は側面部１２のＶ字溝の最外径と同径である。また、凸部外周面１４ａは円形面１３の径と同径、または大きい径の面でなければならない。
【００１０】
図３はプーリーの斜視図である。図４は搬送用ベルト１１を側面部１２にかけようとした際、凸部１４へ誤ってかけた状態の側面図を示している。１５は本発明の実施の形態１におけるプーリーが軸１０を中心に回転することで、その駆動力が搬送用ベルト１１を伝わって回転する従動プーリー１５である。従動プーリー１５は本発明の実施の形態１におけるプーリーと同じ高さに設けられている。Ｃは搬送用ベルト１１の張力を示し、Ｃ１は軸方向、Ｃ２は径方向の分力を示している。
【００１１】
以上のように構成されたプーリーについて、以下にその動作について説明する。
上述したように、従来、プーリーは搬送用ベルト４が正規の位置、側面部２にかけられることで正規の張力を軸１と垂直な方向に発生させ、回転を搬送用ベルト４に伝達することができる。側面部２以外に搬送用ベルト４をかけると、正規の張力は得られずプーリーの回転を効率よく搬送用ベルト４に伝達できない。そのため、搬送用ベルト４をプーリーに組み立てるときは、原則としては側面部２にかかるよう狙わなければならない。
【００１２】
しかし、本発明の実施の形態１において、図４のように搬送用ベルト１１を側面部１２にかけようとした際、誤って凸部１４へかけた状態を考える。プーリーが軸１０を中心にして矢印方向Ｂへ回転し（図１参照）、搬送用ベルト１１を駆動させると、搬送用ベルト１１の張力により凸部外周面１４ａへ力が伝達される。搬送用ベルト１１は不正規に斜め方向にかかっているため、その張力は軸方向への分力Ｃ１をもつ。プーリーが軸１０を中心に回転すると、分力Ｃ１によって、搬送用ベルト１１は側面部１２へと近づいてくる。さらに回転を続けると、最終的に搬送用ベルト１１は、張力の分力Ｃ１がなくなり、軸１０と垂直な方向のみとなる正規の位置、側面部１２にかかる。
【００１３】
よって、搬送用ベルト１１を誤って凸部１４にかけてしまった場合でも、プーリーを回転させることで、正規の位置、側面部１２にかけることができ、搬送用ベルト１１を側面部１２に狙う必要がなくなる。以上のように、組み立ての際、搬送用ベルト１１を側面部１２に狙わなくてもよいことで、タクト時間短縮の効果が得られる。なお、本実施の形態において、プーリーが回転し、搬送用ベルト１１を駆動したが、搬送用ベルト１１が矢印方向Ｂに回転し、プーリーを駆動しても同様の効果を得られる。また、凸部１４を略等角に４本設けたが、必ずしも４本に限定されるものではない。さらに凸部外周面１４ａは円弧形状でなくてもよい。
【００１４】
（実施の形態２）
図５は本発明の実施の形態２におけるプーリーの斜視図である。図５において、プーリーは軸１００を中心にして回転しながら搬送用ベルト１０１を駆動させる。搬送用ベルト１０１とプーリーとは側面部１０２に設けられたＶ字の溝で接し、駆動力を伝えている。１０３は軸１００と垂直に構成する円形面を示し、１０４は円形面１０３上に略等角で放射状に設けられた４本のリブを示す。リブ外周面１０４ａはリブ１０４の、円形面１０３の径と同径の、側面を示す。円形面１０３の径は側面部１０２のＶ字溝の最外径と同径である。また、リブ外周面１０４ａは円形面１０３の径と同径、または大きい径の面でなければならない。
【００１５】
図６は搬送用ベルト１０１を側面部１０２にかけようとした際、リブ外周面１０４ａへ誤ってかけた状態の側面図を示している。１０５は本発明の実施の形態２におけるプーリーが軸１００を中心に回転することで、その駆動力が搬送用ベルト１０１を伝わって回転する従動プーリーである。従動プーリー１０５は本発明の実施の形態２におけるプーリーと同じ高さに設けられている。Ｄは搬送用ベルト１０１の張力を示し、Ｄ１は軸方向、Ｄ２は径方向の分力を示している。
【００１６】
以上のように構成されたプーリーについて、以下にその動作について説明する。
本発明の実施の形態２において、図６のように搬送用ベルト１０１を側面部１０２にかけようとした際、誤ってリブ外周面１０４ａへかけた状態を考える。プーリーが軸１００を中心に回転し、搬送用ベルト１０１を駆動させると搬送用ベルト１０１の張力によりリブ外周面１０４ａへ力が伝達される。搬送用ベルト１０１は不正規に斜め方向にかかっているため、その張力は軸方向への分力Ｄ１をもつ。プーリーが軸１００を中心に回転すると分力Ｄ１によって、搬送用ベルト１０１は側面部１０２へと近づいてくる。さらに回転を続けると、最終的に搬送用ベルト１０１は、張力の分力Ｄ１がなくなり軸１００と垂直な方向のみとなる正規の位置、側面部１０２にかかる。
【００１７】
よって、搬送用ベルト１０１を誤ってリブ外周面１０４にかけてしまった場合でも、プーリーを回転させることで、正規の位置、側面部１０２にかけることができ、搬送用ベルト１０１を側面部１０２に狙う必要がなくなる。
【００１８】
以上のように、組み立ての際、搬送用ベルト１０１を側面部１０２に狙わなくてもよいことで、タクト時間短縮の効果が得られる。また、リブ１０４を放射状に設けることでプーリーの強度をあげることができる。なお、本実施の形態において、プーリーが回転し、搬送用ベルト１０１を駆動したが、搬送用ベルト１０１が回転し、プーリーを駆動しても同様の効果を得られる。また、リブ１４を略等角に４本設けたが、必ずしも４本に限定されるものではない。さらにリブ外周面１０４ａは円弧形状でなくてもよい。
【００１９】
【発明の効果】
以上のように、本発明によれば搬送用ベルトを側面部にかけようと試みたが、誤って回転軸方向に設けた面へかけてしまった場合でもプーリーが回転することによって搬送用ベルトが自ずと側面部へ移動する。搬送用ベルトをかける際、狙う範囲を広げることによってタクト時間を短縮し、作業性を大幅にあげることができる。さらに、誤って搬送用ベルトを側面部にかけ損ねた場合でも、自ら正規の位置に移動することで、作業による不良率を下げることができる。
【図面の簡単な説明】
【図１】本発明の実施の形態１におけるプーリーの平面図
【図２】図１のプーリーのＡ−Ａ’断面を示す図
【図３】本発明の実施の形態１におけるプーリーの斜視図
【図４】本発明の実施の形態１におけるプーリーの側面図
【図５】本発明の実施の形態２におけるプーリーの斜視図
【図６】本発明の実施の形態２におけるプーリーの側面図
【図７】従来のプーリーの一例を示す平面図
【図８】従来例の図７における、Ｘ−Ｘ’断面図
【符号の説明】
１０，１００  軸
１１，１０１  搬送用ベルト
１２，１０２  側面部
１３，１０３  円形面
１４  凸部
１４ａ  凸部外周面
１５，１０５  従動プーリー
１０４  リブ
１０４ａ  リブ外周面
【図１】
2004278681.tif 000003
【図２】
2004278681.tif 000004
【図３】
2004278681.tif 000005
【図４】
2004278681.tif 000006
【図５】
2004278681.tif 000007
【図６】
2004278681.tif 000008
【図７】
2004278681.tif 000009
【図８】
2004278681.tif 000010